(57)【特許請求の範囲】
【請求項１】
軸受装着穴に圧入嵌合されている軸受のアウタレースを引き抜く治具であって、前記軸受装着穴の穴底に先端が当接して回転操作される引抜き操作用のネジ軸部材と、このネジ軸部材が中心部を貫通して螺合されることでネジ軸部材と共に前記アウタレースの内側に挿入されるインナアダプタ部材と、このインナアダプタ部材に対し同芯状に相対回動自在に外装されてインナアダプタ部材と共に前記アウタレースの内側に挿入されるアウタアダプタ部材と、前記インナアダプタ部材の外周面の円周方向複数箇所に形成された各外周凹部と、これらの外周凹部に対面して前記アウタアダプタ部材の内周面の複数箇所に形成された各内周凹部と、前記各外周凹部と各内周凹部との間にそれぞれ前記インナアダプタ部材に形成された環状溝に嵌入される支点突起が形成され、Ｏリングによりインナアダプタ部材に前記アウタレースの軸方向に沿って揺動自在に保持されて前記アウタレースの内側端面に係脱可能な複数の係合フック部材とを備え、前記アウタアダプタ部材の内周面には、前記各係合フック部材を前記アウタレースの内側端面に係合可能な位置に揺動させるガイド面が各内周凹部の底部に連続して円周方向に沿って円弧状断面に形成されていることを特徴とする軸受引抜き治具。
【請求項２】
前記ネジ軸部材の基端部には回転操作用の工具掛け部が形成され、前記インナアダプタ部材およびアウタアダプタ部材の基端部端面にはそれぞれ回動操作部材が突設されていることを特徴とする請求項１に記載の軸受引抜き治具。
【請求項３】
前記インナアダプタ部材の回動操作部材は、インナアダプタ部材の外周凹部を明示する箇所に配置され、前記アウタアダプタ部材の回動操作部材は、アウタアダプタ部材の内周凹部を明示する箇所に配置されていることを特徴とする請求項２に記載の軸受引抜き治具。
【請求項４】
前記インナアダプタ部材は、前記アウタレースの内周面に摺動自在に嵌合する大径のガイド部を先端側に有し、基端側には前記アウタアダプタ部材を外装する小径の外装部を有しており、前記アウタアダプタ部材は、前記インナアダプタ部材のガイド部に連続してアウタレースの内周面に摺動自在に嵌合する嵌合部を有していることを特徴とする請求項１〜３の何れかに記載の軸受引抜き治具。
【発明の詳細な説明】
【０００１】
【発明の属する技術分野】
本発明は、軸受引抜き治具に関し、詳しくは、軸受装着穴に圧入嵌合されている軸受のアウタレースを引き抜く作業に使用される軸受引抜き治具に関するものである。
【０００２】
【従来の技術】
この種の軸受引抜き治具として、実開平５−３９８７４号公報には、例えば船外機の推進軸挿入室の奥部に設けられた軸受装着孔に圧入嵌合されている軸受のアウタレースを取り外すためのベアリングプーラが開示されている。このベアリングプーラは、操作杆の先端部に固定されて前記アウタレースの内側に挿入されるアダプタを有し、このアダプタには、アウタレースの直径方向に進出してその内側端面に係合できるようにバネ付勢された一対の係止爪が外周面から抜け止めされて出没自在に装着されている。そして、この一対の係止爪の先端部には、前記アウタレース内に挿入される際にその外側端面に係合して一対の係止爪をアウタレースの内側へ退避するように没入させる球面状のカムテーパ面が形成されている。
【０００３】
前記公報に記載されたベアリングプーラを使用してアウタレースを取り外すには、まず、操作杆と共にアダプタを推進軸挿入室の奥部の軸受装着孔に圧入嵌合されたアウタレースの内側へ挿入する。その際、軸受装着孔の直径方向に対向して形成された一対の凹溝に対し、アダプタに装着された一対の係止爪が合致するように位置決めして挿入する。そして、一対の係止爪を一対の凹溝内に嵌入させてアウタレースの内側端面に係合させる。次に、操作杆の基端部に別途のツバ状のアダプタを装着し、その後方に螺合させたナットにより前記ツバ状のアダプタを推進軸挿入室の入口の略垂直な端面に押圧させる。続いて、この状態からナットをさらに回転させて操作杆を引き戻し、一対の係止爪を介してアウタレースを引き抜く。
【０００４】
【発明が解決しようとする課題】
ところで、前記公報に記載されたベアリングプーラにおいては、アウタレースの内側にアダプタを挿入する際、軸受装着孔に形成された一対の凹溝に対してアダプタの一対の係止爪が合致するように位置決めして挿入する必要があり、その作業には熟練を要するという問題がある。また、アウタレースを引き抜く係止爪がアウタレースの直径方向の２箇所に係合する一対で構成されているため、アウタレースを引き抜く際にアウタレースに拗れが生じ易く、その結果、アウタレースを圧入嵌合している軸受装着穴を傷付ける虞がある。さらに、アウタレースの引き抜き作業に際しては、操作杆の基端部に装着されたツバ状のアダプタを推進軸挿入室の入口の略垂直な端面に押圧させる必要があり、このような端面が推進軸挿入室の入口に存在しな場合には、アウタレースの引き抜き作業ができないという問題がある。
【０００５】
そこで、本発明は、軸受装着穴を傷付けることなく確実に、しかも容易にアウタレースを引き抜くことができる軸受引抜き治具を提供することを課題とする。
【０００６】
【課題を解決するための手段】
前記の課題を解決する手段として、本発明に係る軸受引抜き治具は、軸受装着穴に圧入嵌合されている軸受のアウタレースを引き抜く治具であって、前記軸受装着穴の穴底に先端が当接して回転操作される引抜き操作用のネジ軸部材と、このネジ軸部材が中心部を貫通して螺合されることでネジ軸部材と共に前記アウタレースの内側に挿入されるインナアダプタ部材と、このインナアダプタ部材に対し同芯状に相対回動自在に外装されてインナアダプタ部材と共に前記アウタレースの内側に挿入されるアウタアダプタ部材と、前記インナアダプタ部材の外周面の円周方向複数箇所に形成された各外周凹部と、これらの外周凹部に対面して前記アウタアダプタ部材の内周面の複数箇所に形成された各内周凹部と、前記各外周凹部と各内周凹部との間にそれぞれ前記インナアダプタ部材に形成された環状溝に嵌入される支点突起が形成され、Ｏリングによりインナアダプタ部材に前記アウタレースの軸方向に沿って揺動自在に保持されて前記アウタレースの内側端面に係脱可能な複数の係合フック部材とを備え、前記アウタアダプタ部材の内周面には、前記各係合フック部材を前記アウタレースの内側端面に係合可能な位置に揺動させるガイド面が各内周凹部の底部に連続して円周方向に沿って円弧状断面に形成されていることを特徴とする。
【０００７】
本発明の軸受引抜き治具を使用するには、まず、準備作業として、インナアダプタ部材とアウタアダプタ部材とを相対回動させてその外周凹部と内周凹部とを対面させ、両者の間に各係合フック部材を揺動自在に保持する。そして、ネジ軸部材と共にインナアダプタ部材およびアウタアダプタ部材を軸受装着穴に圧入嵌合されているアウタレースの内側に挿入する。その際、各係合フック部材は、アウタレースの内周面に追従して揺動しつつアウタレースの内側を通過する。そこで、各係合フック部材がアウタレースの内側端面に係合可能な位置までインナアダプタ部材およびアウタアダプタ部材を挿入し、その後、インナアダプタ部材に対してアウタアダプタ部材を回動させ、アウタアダプタ部材の内周のガイド面に沿って各係合フック部材をアウタレースの内側端面に係合可能な位置に揺動させる。次に、インナアダプタ部材に対しネジ軸部材をねじ込み方向に回転操作してその先端を軸受装着穴の穴底に当接させる。続いて、この状態からネジ軸部材をさらに回転操作してインナアダプタ部材およびアウタアダプタ部材を引き戻し、アウタレースの内側端面の円周方向複数箇所に係合している各係合フック部材を介してアウタレースを引き抜く。
【０００８】
本発明の軸受引抜き治具において、前記ネジ軸部材の基端部に回転操作用の工具掛け部が形成され、前記インナアダプタ部材およびアウタアダプタ部材の基端部端面にそれぞれ回動操作部材が突設されていると、インナアダプタ部材に対してネジ軸部材を確実に回転操作できると共に、インナアダプタ部材に対してアウタアダプタ部材を確実に回動操作することができるので好ましい。この場合、インナアダプタ部材の回動操作部材がインナアダプタ部材の外周凹部を明示する箇所に配置され、アウタアダプタ部材の回動操作部材がアウタアダプタ部材の内周凹部を明示する箇所に配置されていると、インナアダプタ部材に対してアウタアダプタ部材を適切に回動操作することができるので好ましい。
【０００９】
また、本発明の軸受引抜き治具において、前記インナアダプタ部材がアウタレースの内周面に摺動自在に嵌合する大径のガイド部を先端側に有し、基端側に前記アウタアダプタ部材を外装する小径の外装部を有しており、前記アウタアダプタ部材が、インナアダプタ部材のガイド部に連続してアウタレースの内周面に摺動自在に嵌合する嵌合部を有していると、インナアダプタ部材およびアウタアダプタ部材をアウタレースの内周面に沿って円滑に挿入できると共に、アウタレースをアウタアダプタ部材に嵌合して円滑に引き抜くことができるので好ましい。
【００１０】
【発明の実施の形態】
以下、図面を参照して本発明に係る軸受引抜き治具の実施の形態を説明する。参照する図面において、図１は一実施形態に係る軸受引抜き治具の挿入操作段階を示す縦断面図、図２は図１に示す軸受引抜き治具の係合フック部材を省略した平面図、図３は図１に示す軸受引抜き治具を構成する係合フック部材を拡大して示す斜視図である。
【００１１】
一実施形態に係る軸受引抜き治具は、図１および図２に示すように、例えば船外機のギヤハウジングＡに形成された軸受装着穴Ｂに圧入嵌合されている軸受のアウタレースＣを引き抜く作業に使用される治具であって、軸受装着穴Ｂに先端部が挿入される引抜き操作用のネジ軸部材１と、このネジ軸部材１と共にアウタレースＣの内側に挿入されるインナアダプタ部材２と、このインナアダプタ部材２と共にアウタレースＣの内側に挿入されるアウタアダプタ部材３と、前記インナアダプタ部材２とアウタアダプタ部材３との間に揺動自在に保持される複数の係合フック部材４とを主要部として構成されている。
【００１２】
前記軸受装着穴Ｂは、これに圧入嵌合されたアウタレースＣの内側端面Ｃ１を係止する段部Ｂ１を有し、その穴底Ｂ２には、前記ネジ軸部材１の先端面を回転自在に支持するセンタ穴Ｂ３が形成されている。そして、前記アウタレースＣは、その肉厚が前記段部Ｂ１の幅より大きく設定されており、その内側端面Ｃ１は前記段部Ｂ１の内周側に露出している。
【００１３】
前記ネジ軸部材１は、その先端面１Ａが前記センタ穴Ｂ３に回転自在に支持される球面状に形成され、その近傍から長さ方向の中央部にわたってオネジ部１Ｂが形成されている。そして、このネジ軸部材１の基端部には、回転操作用の六角形断面の工具掛け部１Ｃが形成されている。
【００１４】
前記インナアダプタ部材２は、前記ネジ軸部材１のオネジ部１Ｂが螺合されるメネジ部２Ａを中心部に有するナット状を呈している。このインナアダプタ部材２の先端側には、前記アウタレースＣの内周面に摺動自在に嵌合する大径のガイド部２Ｂが形成され、その先端角部には、アウタレースＣ内への挿入をガイドする４５度の面取部２Ｃが形成されている。また、インナアダプタ部材２の基端側には、前記アウタアダプタ部材３を同芯状に相対回動自在に外装する小径の外装部２Ｄが形成されている。そして、この小径の外装部２Ｄと前記大径のガイド部２Ｂとの間には環状溝２Ｅが形成されている。
【００１５】
ここで、前記インナアダプタ部材２の外周面の円周方向３箇所には、前記各係合フック部材４を保持するための外周凹部２Ｆが等間隔で形成されている。各外周凹部２Ｆは、大径のガイド部２Ｂから小径の外装部２Ｄにわたってネジ軸部材１と平行する溝状に形成されており、その深さは、前記環状溝２Ｅの深さの半分程度に設定されている。
【００１６】
また、前記インナアダプタ部材２の基端側の外装部２Ｄの端面には、Ｌ字状に屈曲形成された回動操作部材５が外周凹部２Ｆを明示する箇所に突設されている。すなわち、前記回動操作部材５は、その基端部が前記外周凹部２Ｆとメネジ部２Ａとの間に配置して外装部２Ｄの端面に回動不能に植設されており、その先端部がインナアダプタ部材２の半径方向外方へ突出して外周凹部２Ｆの位置を明示している。
【００１７】
一方、前記アウタアダプタ部材３は、インナアダプタ部材２の外周、すなわち、小径の外装部２Ｄの外周に同芯状に相対回動自在に嵌合される筒状を呈している。このアウタアダプタ部材３の先端面は、大径のガイド部２Ｂの基端側の段部に当接しており、アウタアダプタ部材３の基端側には、その内周側に張り出して小径の外装部２Ｄの端面に当接するツバ部３Ａが形成されている。また、アウタアダプタ部材３の外周の先端側には、前記インナアダプタ部材２の大径のガイド部２Ｂに連続してアウタレースＣの内周に摺動自在に嵌合する小径の嵌合部３Ｂが形成されている。
【００１８】
ここで、前記アウタアダプタ部材３の内周面の円周方向３箇所には、前記各係合フック部材４を保持するための内周凹部３Ｃが等間隔で形成されている。各内周凹部３Ｃは、前記インナアダプタ部材２の各外周凹部２Ｆに対面してアウタアダプタ部材３の先端から基端側のツバ部３Ａにわたって延びる幅広の溝状に形成されている。そして、各内周凹部３Ｃの低部に連続する両側壁部は、各係合フック部材４を前記アウタレースＣの内側端面Ｃ１に係合可能な位置に揺動させるためのガイド面３Ｄ，３Ｄとして、アウタアダプタ部材３の円周方向に沿って広がる円弧状断面に形成されている。
【００１９】
また、前記アウタアダプタ部材３の基端側の端面には、Ｌ字状に屈曲形成された回動操作部材６が内周凹部３Ｃを明示する箇所に突設されている。すなわち、前記回動操作部材６は、その基端部が前記内周凹部３Ｃより半径方向外側に配置してアウタアダプタ部材３の端面に回動不能に植設されており、その先端部がアウタアダプタ部材３の半径方向外方へ突出して内周凹部３Ｃの位置を明示している。
【００２０】
前記各係合フック部材４は、前記インナアダプタ部材２の外周凹部２Ｆとアウタアダプタ部材３の内周凹部３Ｃとの間に揺動自在に保持されて前記アウタレースＣの内側端面Ｃ１に係脱可能に装着されるものであり、前記外周凹部２Ｆに摺動自在に嵌め込まれる幅寸法のブロック状を呈する。この係合フック部材４は、図１および図３に示すように、揺動支点として前記インナアダプタ部材２の環状溝２Ｅに嵌入される支点突起４Ａと、前記アウタレースＣの内側端面Ｃ１に係脱可能な爪部４Ｂと、前記爪部４ＢがアウタレースＣの内側に退避した揺動位置でアウタアダプタ部材３の内周凹部３Ｃの底部に当接する第１規制部４Ｃと、この揺動位置でインナアダプタ部材２のガイド部２Ｂに形成された外周凹部２Ｆの底部に当接する第２規制部４Ｄとを有する。
【００２１】
また、前記係合フック部材４は、図３および図４に示すように、前記爪部４ＢがアウタレースＣの内側端面Ｃ１に係合可能な揺動位置でアウタアダプタ部材３の内周面に当接する第１位置決め部４Ｅと、この揺動位置でインナアダプタ部材２の外装部２Ｄに形成された外周凹部２Ｆの底部に当接する第２位置決め部４Ｆとを有する。そして、この係合フック部材４の第１位置決め部４Ｅと爪部４Ｂとの間には、第１位置決め部４Ｅに装着されたＯリング７（図１および図４参照）を係止する段部４Ｇが形成されている。なお、前記アウタアダプタ部材３の先端部内周には、前記Ｏリング７が嵌入可能な逃溝３Ｅが形成されている。
【００２２】
以上のように構成された一実施形態の軸受引抜き治具は、例えば図１に示すような船外機のギヤハウジングＡに形成された軸受装着穴Ｂに圧入嵌合されている軸受のアウタレースＣを引き抜く作業に使用される。この引き抜き作業にあたっては、まず、準備作業として、インナアダプタ部材２とアウタアダプタ部材３とを相対回動させてその外周凹部２Ｆと内周凹部３Ｃとを対面させる（図２参照）。この作業は、インナアダプタ部材２の外装部２Ｄの端面に突設された回動操作部材５と、アウタアダプタ部材３の基端面に突設された回動操作部材６とを一直線状となるようにそれぞれ回動操作することで、極めて容易に、かつ、確実に行うことができる。
【００２３】
前記の準備作業により、各係合フック部材４は、支点突起４Ａを中心にインナアダプタ部材２の外周凹部２Ｆとアウタアダプタ部材３の内周凹部３Ｃとの間に揺動自在に保持されてアウタレースＣの内側端面Ｃ１に係脱可能となる。そこで、ネジ軸部材１と共にインナアダプタ部材２およびアウタアダプタ部材３を軸受装着穴Ｂに圧入嵌合されているアウタレースＣの内側に挿入する。その際、インナアダプタ部材２の先端側のガイド部２Ｂの先端角部には、４５度の面取部２Ｃが形成されているため、アウタレースＣの内側への挿入作業は、極めて容易に、かつ、確実に行うことができる。
【００２４】
前記の挿入作業に伴ない、インナアダプタ部材２の大径のガイド部２Ｂおよびこれに連続するアウタアダプタ部材３の嵌合部３ＢがアウタレースＣの内周面に沿って円滑に挿入される。その際、各係合フック部材４は、爪部４Ｂが支点突起４Ａを中心に揺動しつつアウタレースＣの内周面に追従することにより、アウタレースＢの内側を通過する。その間、係合フック部材４は、第１規制部４Ｃがアウタアダプタ部材３の内周凹部３Ｃの底部に当接し、第２規制部４Ｄがインナアダプタ部材２の外周凹部２Ｆの底部に当接することで、爪部４ＢがアウタレースＣの内側に退避した揺動位置に保持される。
【００２５】
続いて、図１に示すように、各係合フック部材４の爪部４ＢがアウタレースＣの内側端面Ｃ１に係合可能な位置までインナアダプタ部材２およびアウタアダプタ部材３を挿入した後、インナアダプタ部材２に対してアウタアダプタ部材３を回動させる。この作業は、インナアダプタ部材２側の前記回動操作部材５に対してアウタアダプタ部材３側の前記回動操作部材６を回動操作することで極めて容易に、かつ、確実に行うことができる。そして、この作業により、各係合フック部材４は、図２に示すアウタアダプタ部材３のガイド面３Ｄに沿って揺動し、図４に示すように、各爪部４ＢがアウタレースＣの内側端面Ｃ１に係合可能となる。
【００２６】
次に、インナアダプタ部材２に対しネジ軸部材１をねじ込み方向に回転操作してその先端面１Ａを軸受装着穴Ｂの穴底Ｂ２に形成されたセンタ穴Ｂ３に当接させる。この作業は、前記回動操作部材５および回動操作部材６を掴んだ状態でネジ軸部材１の基端部の工具掛け部１Ｃにスパナ等の工具を掛け、これをネジ軸部材１のねじ込み方向に回転操作することで、極めて容易に、かつ、確実に行うことができる。そして、この状態からネジ軸部材１をさらに回転操作すると、インナアダプタ部材２およびアウタアダプタ部材３がネジ軸部材１に沿って引き戻される。これに伴ない、円周方向３箇所に等間隔で配置された各係合フック部材４の爪部４ＢがアウタレースＣの内側端面Ｃ１に均等に係合し、これらの爪部４Ｂを介してアウタレースＣが拗れることなく軸受装着穴Ｂから引き抜かれる。
【００２７】
一実施形態の軸受引抜き治具においては、前述したように、円周方向３箇所に等間隔で配置された各係合フック部材４の各爪部４ＢがアウタレースＣの内側端面Ｃ１に均等に係合するため、軸受装着穴Ｂを傷付けることなく確実にアウタレースＣを引き抜くことができる。また、この一連の操作は、熟練を要することなく容易に行うことができる。
【００２８】
なお、本発明の軸受引抜き治具において、各係合フック部材４は、円周方向４箇所に等間隔で配置してもよい。また、インナアダプタ部材２の各外周凹部２Ｆとアウタアダプタ部材３の各内周凹部３Ｃとが対面可能な箇所に形成されている限り、これらは必ずしも円周方向に等間隔で形成されていなくてもよい。
【００２９】
【発明の効果】
以上説明したように、本発明の軸受引抜き治具においては、インナアダプタ部材とアウタアダプタ部材とを相対回動させてその外周凹部と内周凹部とを対面させると、各係合フック部材が両者の間に揺動自在に保持されてアウタレースの内側端面に係脱可能となる。この状態でネジ軸部材と共にインナアダプタ部材およびアウタアダプタ部材を軸受装着穴に圧入嵌合されているアウタレースの内側に挿入すると、各係合フック部材はアウタレースの内周面に追従して揺動しつつアウタレースの内側を通過する。そして、各係合フック部材がアウタレースの内側端面に係合可能な位置までインナアダプタ部材およびアウタアダプタ部材を挿入した後、インナアダプタ部材に対してアウタアダプタ部材を回動させると、各係合フック部材がアウタアダプタ部材の内周面のガイド面に沿って揺動し、アウタレースの内側端面に係合可能となる。続いて、インナアダプタ部材に対しネジ軸部材をねじ込み方向に回転操作してその先端を軸受装着穴の穴底に当接させ、この状態からネジ軸部材をさらに回転操作すると、インナアダプタ部材およびアウタアダプタ部材がネジ軸部材に沿って引き戻され、アウタレースの内側端面の円周方向複数箇所に係合する各係合フック部材を介してアウタレースが軸受装着穴から引き抜かれる。すなわち、本発明の軸受引抜き治具によれば、軸受装着穴を傷付けることなく確実に、しかも容易に軸受装着穴からアウタレースを引き抜くことができる。
【００３０】
本発明の軸受引抜き治具において、前記ネジ軸部材の基端部に回転操作用の工具掛け部が形成され、前記インナアダプタ部材およびアウタアダプタ部材の基端部端面にそれぞれ回動操作部材が突設されている場合、インナアダプタ部材に対してネジ軸部材を確実に回転操作できると共に、インナアダプタ部材に対してアウタアダプタ部材を確実に回動操作することができる。この場合、インナアダプタ部材側の回動操作部材がインナアダプタ部材の外周凹部を明示する箇所に配置され、アウタアダプタ部材側の回動操作部材がアウタアダプタ部材の内周凹部を明示する箇所に配置されていると、インナアダプタ部材に対してアウタアダプタ部材を適切に回動操作することができる。
【００３１】
また、本発明の軸受引抜き治具において、前記インナアダプタ部材がアウタレースの内周面に摺動自在に嵌合する大径のガイド部を先端側に有し、基端側に前記アウタアダプタ部材を外装する小径の外装部を有しており、前記アウタアダプタ部材が、インナアダプタ部材のガイド部に連続してアウタレースの内周面に摺動自在に嵌合する嵌合部を有している場合、インナアダプタ部材およびアウタアダプタ部材をアウタレースの内周面に沿って円滑に挿入できると共に、アウタレースをアウタアダプタ部材に嵌合して円滑に引き抜くことができる。
【図面の簡単な説明】
【図１】本発明の一実施形態に係る軸受引抜き治具の挿入操作段階を示す縦断面図である。
【図２】図１に示す軸受引抜き治具の係合フック部材を省略した平面図である。
【図３】図１に示す軸受引抜き治具を構成する係合フック部材を拡大して示す斜視図である。
【図４】一実施形態に係る軸受引抜き治具の引抜き操作段階を示す縦断面図である。
【図５】図４に示す軸受引抜き治具の係合フック部材を省略した平面図である。
【符号の説明】
１  ：ネジ軸部材
１Ａ：先端面
１Ｂ：オネジ部
１Ｃ：工具掛け部
２  ：インナアダプタ部材
２Ａ：メネジ部
２Ｂ：ガイド部
２Ｃ：面取部
２Ｄ：外装部
２Ｅ：環状溝
２Ｆ：外周凹部
３  ：アウタアダプタ部材
３Ｂ：嵌合部
３Ｃ：内周凹部
３Ｄ：ガイド面
４  ：係合フック部材
５  ：回動操作部材
６  ：回動操作部材
７  ：Ｏリング
Ａ  ：ギヤハウジング
Ｂ  ：軸受装着穴
Ｂ１：段部
Ｂ２：穴底
Ｂ３：センタ穴
Ｃ：アウタレース
Ｃ１：内側端面
【図１】
0003900457.tif 000002
【図２】
0003900457.tif 000003
【図３】
0003900457.tif 000004
【図４】
0003900457.tif 000005
【図５】
0003900457.tif 000006